(57)【要約】【課題】通話中に文字情報を伝達可能な通信機器を提供することにある。【解決手段】第１種記号及び第２種記号が割り当てられるキーを含む操作部と、キーに割り当てられる第１種記号及び第２種記号と、それぞれの記号に対応するアナログ信号との対応関係を記憶する記憶部と、通話を行う通信部と、通信部により通話が行われている状態で、キーの操作が行われると、当該操作されたキーに割り当てられる第１種記号及び第２種記号の少なくとも一方であって、入力された記号を記憶部に記憶されている前記対応関係に基づいてアナログ信号に変換し、変換したアナログ信号を通話先に送信する制御部と、を備えることで上記課題を解決する。【選択図】図１
2011147030.tif 000002
【特許請求の範囲】
【請求項１】
第１種記号及び第２種記号が割り当てられるキーを含む操作部と、
前記キーに割り当てられる前記第１種記号及び前記第２種記号と、それぞれの記号に対応するアナログ信号との対応関係を記憶する記憶部と、
通話を行う通信部と、
前記通信部により通話が行われている状態で、前記キーの操作が行われると、当該操作されたキーに割り当てられる前記第１種記号及び前記第２種記号の少なくとも一方であって、入力された記号を前記記憶部に記憶されている前記対応関係に基づいてアナログ信号に変換し、変換したアナログ信号を通話先に送信する制御部と、
を備えることを特徴とする通信機器。
【請求項２】
前記制御部は、前記キーの操作で記号が入力された後に、当該記号を確定処理する操作がされると、入力された前記記号を、前記記憶部に記憶されている前記対応関係に基づいてアナログ信号に変換することを特徴とする請求項１に記載の通信機器。
【請求項３】
表示部を更に備え、
前記制御部は、前記通信部により通話が行われている状態で前記キーの操作が行われると、当該操作されたキーに割り当てられる前記第１種記号及び前記第２種記号のうち、入力された一方の記号を前記表示部に表示させることを特徴とする請求項１又は２に記載の通信機器。
【請求項４】
前記第１種記号は文字であり、
前記第２種記号は数字であり、
前記制御部は、前記通信部により通話が行われている状態で前記キーの操作が行われると、当該操作されたキーに割り当てられる数字及び文字を前記表示部に表示させ、前記操作部の操作により通話先に送信すると決定された前記文字又は前記数字を前記対応関係に基づいてアナログ信号に変換することを特徴とする請求項１又は２に記載の通信機器。
【請求項５】
前記制御部は、前記アナログ信号を送信した後、前記通信部を介してアナログ信号を受信した場合に、受信したアナログ信号と送信したアナログ信号とを比較し、一致した場合は通話先に一致信号を送信し、一致しない場合は、不一致信号を通話先に送信することを特徴とする請求項１から４のいずれか１項に記載の通信機器。
【請求項６】
通話を行う通信部と、
表示部と、
第１種記号及び第２種記号と、それぞれの記号に対応するアナログ信号との対応関係を記憶する記憶部と、
前記通信部により通話が行われている状態で、前記通信部を介してアナログ信号を通話先から受信した場合に、受信したアナログ信号を、前記対応関係に基づいて記号に変換し、変換した記号を前記表示部に表示させる制御部と、
を備えることを特徴とする通信機器。
【請求項７】
前記制御部は、前記通信部を介して受信したアナログ信号を送信した後、通話先から前記一致信号を受信した場合に、受信した前記アナログ信号を変換した記号を前記表示部に表示させ、通話先から前記不一致信号を受信した場合に、受信した前記アナログ信号を変換した記号を前記表示部に表示させないことを特徴とする請求項６に記載の通信機器。
【請求項８】
前記アナログ信号は、ＤＴＭＦ信号であることを特徴とする請求項１から７のいずれか１項に記載の通信機器。
【発明の詳細な説明】
【技術分野】
【０００１】
本発明は、音声通信を行う通信機器に関する。
【背景技術】
【０００２】
離れた相手と会話する装置としては、電話機等の通信機器がある。また、近年では、基地局を介して無線で通信を行ういわゆる携帯電話機が普及している。
【０００３】
ここで、通信機器を用いての通話中に、通話相手に電話番号を伝える場合がある。この際の伝達方法としては、ユーザが口頭で通話相手に伝える方法があるが、通話相手は、口頭で伝えられた電話番号をメモする必要があり、操作が煩雑となる。これに対して、特許文献１には、通話中に相手先から送られてくるＤＴＭＦ信号を検出する検出手段と、検出されたＤＴＭＦ信号から対応する電話番号を識別する識別手段と、識別された電話番号を一時記憶する記憶手段と、一時記憶された電話番号を発呼先電話番号として登録する登録手段とを備えた電話装置が記載されている。
【先行技術文献】
【特許文献】
【０００４】
【特許文献１】特開平１１−２０５４３４号公報
【発明の概要】
【発明が解決しようとする課題】
【０００５】
特許文献１に記載の方法を用いることで、電話番号をメモする手間や、再度登録する手間を省略することができる。しかしながら、特許文献１に記載の方法では、数字を利用した電話番号以外の情報を送ることができない。そのため、電話番号以外の情報、例えば、文字を利用した情報を送信したい場合には対応することができない。
【０００６】
また、携帯電話機では、メール機能を使用することで、種々の文字情報を伝達することができる。しかしながら、メール機能で伝達する場合は、ユーザが一旦通話を終了してからメール機能を立ち上げる必要がある。このように、メール機能を用いる場合は、一旦、通話を終了する必要があり、作業が煩雑となる。
【０００７】
本発明は、上記に鑑みてなされたものであって、通話中に文字情報を伝達可能な通信機器を提供することを目的とする。
【課題を解決するための手段】
【０００８】
上述した課題を解決し、目的を達成するために、本発明は、通信機器であって、第１種記号及び第２種記号が割り当てられるキーを含む操作部と、前記キーに割り当てられる前記第１種記号及び前記第２種記号と、それぞれの記号に対応するアナログ信号との対応関係を記憶する記憶部と、通話を行う通信部と、前記通信部により通話が行われている状態で、前記キーの操作が行われると、当該操作されたキーに割り当てられる前記第１種記号及び前記第２種記号の少なくとも一方であって、入力された記号を前記記憶部に記憶されている前記対応関係に基づいてアナログ信号に変換し、変換したアナログ信号を通話先に送信する制御部と、を備えることを特徴とする。
【０００９】
ここで、前記制御部は、前記キーの操作で記号が入力された後に、当該記号を確定処理する操作がされると、入力された前記記号を、前記記憶部に記憶されている前記対応関係に基づいてアナログ信号に変換することが好ましい。
【００１０】
また、表示部を更に備え、前記制御部は、前記通信部により通話が行われている状態で前記キーの操作が行われると、当該操作されたキーに割り当てられる前記第１種記号及び前記第２種記号のうち、入力された一方の記号を前記表示部に表示させることが好ましい。
【００１１】
また、前記第１種記号は文字であり、前記第２種記号は数字であり、前記制御部は、前記通信部により通話が行われている状態で前記キーの操作が行われると、当該操作されたキーに割り当てられる数字及び文字を前記表示部に表示させ、前記操作部の操作により通話先に送信すると決定された前記文字又は前記数字を前記対応関係に基づいてアナログ信号に変換することが好ましい。
【００１２】
また、前記制御部は、前記アナログ信号を送信した後、前記通信部を介してアナログ信号を受信した場合に、受信したアナログ信号と送信したアナログ信号とを比較し、一致した場合は通話先に一致信号を送信し、一致しない場合は、不一致信号を通話先に送信することが好ましい。
【００１３】
上述した課題を解決し、目的を達成するために、本発明は、通信機器であって、通話を行う通信部と、表示部と、第１種記号及び第２種記号と、それぞれの記号に対応するアナログ信号との対応関係を記憶する記憶部と、前記通信部により通話が行われている状態で、前記通信部を介してアナログ信号を通話先から受信した場合に、受信したアナログ信号を、前記対応関係に基づいて記号に変換し、変換した記号を前記表示部に表示させる制御部と、を備えることを特徴とする。
【００１４】
ここで、前記制御部は、前記通信部を介して受信したアナログ信号を送信した後、通話先から前記一致信号を受信した場合に、受信した前記アナログ信号を変換した記号を前記表示部に表示させ、通話先から前記不一致信号を受信した場合に、受信した前記アナログ信号を変換した記号を前記表示部に表示させないことが好ましい。
【００１５】
また、前記アナログ信号は、ＤＴＭＦ信号であることが好ましい。
【発明の効果】
【００１６】
本発明にかかる通信機器は、通話中に文字情報を伝達可能とすることができるという効果を奏する。
【図面の簡単な説明】
【００１７】
【図１】図１は、本発明の通信機器の一実施形態である携帯端末装置を備える通信システムの概略構成を示す説明図である。
【図２】図２は、図１に示す携帯端末装置の概略構成を示す正面図である。
【図３】図３は、図２に示す携帯端末装置の機能の概略構成を示すブロック図である。
【図４−１】図４−１は、操作キーの入力と表示部への表示とプッシュ信号との関係の一例を示す表である。
【図４−２】図４−２は、操作キーの入力と表示部への表示とプッシュ信号との関係の一例を示す表である。
【図４−３】図４−３は、操作キーの入力と表示部への表示とプッシュ信号との関係の一例を示す表である。
【図５】図５は、携帯端末装置の動作を説明するための説明図である。
【図６】図６は、携帯端末装置の動作を説明するための説明図である。
【図７】図７は、携帯端末装置の処理動作の一例を示すフロー図である。
【図８】図８は、携帯端末装置の処理動作の一例を示すフロー図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信機器の一例として携帯端末装置、具体的には携帯電話機を例として説明するが、本発明の適用対象は携帯電話機に限定されるものではなく、通話機能を備える種々の通信機器に用いることができる。例えば、携帯端末装置としては、ＰＨＳ（Personal Handyphone System）、ＰＤＡ等に対しても本発明は適用できる。また、本発明の通信機器としては、固定端末も用いることができ、例えば、固定式の電話機、複合機、ＰＣ（Personal  Computer）にも用いることができる。
【００１９】
図１は、本発明の通信機器の一実施形態である携帯端末装置を備える通信システムの概略構成を示す説明図である。図１に示す通信システム１は、通信網６と、複数の携帯端末装置１０とで構成されている。
【００２０】
通信網６は、複数の基地局８で構成されている。基地局８は、一定のエリア内にある携帯端末装置と無線で通信する通信機である。また、基地局８は、他の基地局８とも無線で通信する。また、通信網６は、有線の通信回線とも接続されており、固定された通信端末との間でも通信する。
【００２１】
携帯端末装置１０は、一定距離内にある基地局８との間で無線通信を行う通信端末である。携帯端末装置１０は、音声信号等の信号を基地局８に送信し、基地局８から音声信号等の信号を受信する。また、それぞれの携帯通信端末には、固有の電話番号、端末番号が割り当てられ、記憶されている。
【００２２】
通信システム１は、以上のような構成である。通信システム１は、ユーザの操作により携帯端末装置１０に発信操作が入力されると、携帯端末装置１０から通信網６の基地局８に対して、発信信号と通信先の電話番号の情報が送られる。通信網６は、入力された通信先の電話番号が割り当てられている携帯端末装置１０を検索し、通信先の携帯端末装置１０に着信を通知する。その後、通信先の携帯端末装置１０で通話開始の操作が入力されたら、通信網６の基地局８を介して通信を行う。つまり、通信システム１は、通信網６を介して情報の送受信を行うことで、携帯端末装置１０間で通信を行う。通信網６は、基地局８を介した通信に限定されず、有線、無線の種々の通信方法を用いることができる。例えば、衛星回線を利用して通信を行ってもよく、有線の電話回線を利用して通信を行ってもよい。
【００２３】
次に、携帯端末装置１０について、説明する。図２は、図１に示す携帯端末装置の概略構成を示す正面図である。携帯端末装置１０は、無線通信機能を備えた携帯電話機である。携帯端末装置１０は、筐体１０Ｃが第１筐体１０ＣＡと第２筐体１０ＣＢとで開閉可能に構成された、折り畳み式の携帯電話機である。なお、図２は、携帯端末装置１０を開いた状態である。なお、本実施形態では、携帯通信端末１０の筐体１０Ｃを折り畳み式としたが、筐体の形状は特に限定されない。筐体は種々の形態とすることができ、例えば、スライド式、サクロイド式、リボルバー式、ストレート式等でもよい。
【００２４】
第１筐体１０ＣＡには、表示部として、図２に示すメインディスプレイ１２Ｍが設けられる。メインディスプレイ１２Ｍは、所定の画像として、携帯端末装置１０が受信を待機している状態のときに待ち受け画面を表示したり、携帯端末装置１０の操作を補助するために用いられるメニュー画像を表示したりする。また、図２に示すように、第１筐体１０ＣＡには、携帯端末装置１０の通話時に音声を発するレシーバ１６が設けられている。
【００２５】
第２筐体１０ＣＢには、通話する相手の電話番号や、メール作成時等に文字を入力するための操作キー１３が複数設けられ、また、メインディスプレイ１２Ｍに表示されるメニューの選択及び決定や画面のスクロール等を容易に実行するための方向及び決定キー１４が設けられる。なお、操作キー１３、及び方向及び決定キー１４は、携帯端末装置１０の操作部２８（図３参照）を構成する。また、第２筐体１０ＣＢには、携帯端末装置１０の通話時に音声を受け取るマイク１５が設けられる。
【００２６】
また、第１筐体１０ＣＡと第２筐体１０ＣＢとは、ヒンジ１８で連結されている。これによって、第１筐体１０ＣＡ及び第２筐体１０ＣＢは、ヒンジ１８を中心としてともに回動して、互いに遠ざかる方向及び互いに接近する方向に回動できるように構成される。第１筐体１０ＣＡと第２筐体１０ＣＢとが互いに遠ざかる方向に回動すると携帯端末装置１０が開き、第１筐体１０ＣＡと第２筐体１０ＣＢとが互いに接近する方向に回動すると携帯端末装置１０が閉じる。
【００２７】
次に、携帯端末装置１０の機能と制御部との関係を説明する。図３は、図２に示す携帯端末装置の機能の概略構成を示すブロック図である。図３に示すように携帯端末装置１０は、主制御部２２と、記憶部２４と、通信部２６と、操作部２８と、音声処理部３０と、表示部３２と、表示制御部３３と、を有する。
【００２８】
主制御部２２は、携帯端末装置１０の全体的な動作を統括的に制御する処理部、例えばＣＰＵ（Central Processing Unit）である。すなわち、携帯端末装置１０の各種の処理が、操作部２８の操作や携帯端末装置１０の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。また、主制御部２２は、複数のプログラム（アプリケーション、ソフトウェア）を並列で実行することができる。
【００２９】
記憶部２４には、主制御部２２での処理に利用されるアプリケーションのプログラムやデータが保存されている。具体的には、アプリケーションのプログラムとして、発信、着信、通話処理を行うアプリケーションのプログラム、通話中に文字情報の送受信処理を行うアプリケーションのプログラムや、メールの送受信を行うアプリケーションのプログラム等が保存されている。また、データとしては、画像データ、音声データ、文字変換のための辞書データ、アドレス帳データ等が記憶されている。また、上述した通話中に文字情報を送受信するためのアプリケーションのプログラムで使用する変換テーブルも備えている。
【００３０】
通信部２６は、上述した通信網６の基地局８によって割り当てられるチャネルを介し、基地局８との間でＣＤＭＡ方式などによる無線信号回線を確立し、基地局８との間で電話通信及び情報通信を行う。このため、ユーザは、通信部２６による通信により所望の相手との通話が可能となる。また、通信部２６は、テレビ放送を受信するアンテナや、ＧＰＳ信号を受信するアンテナも備える。
【００３１】
操作部２８は、例えば、電源キー、通話キー、数字キー、文字キー、発信キーなど、各種の機能が割り当てられた操作キー１３と、方向及び決定キー１４とで構成される。操作キー１３は、第１種記号及び第２種記号が割り当てられるキーを含む。第１種記号は、例えば、「かな」をはじめとする文字であり、第２種記号は、数字である。ユーザは第１種記号及び第２種記号が割り当てられるキーを用いて通話する相手との電話番号やメール作成時に文字を入力することが可能となる。これらのキーがユーザの操作により入力されると、その操作内容に対応する信号を発生させる。そして、発生した信号は、ユーザの指示として主制御部２２へ入力される。
【００３２】
音声処理部３０は、マイク１５に入力される音声信号やレシーバ１６から出力される音声信号の処理を実行する。
【００３３】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ１２Ｍ等）を備え、主制御部２２から表示制御部３３を介して供給される映像データに応じた映像、画像データに応じた画像を表示パネルに表示させる。
【００３４】
次に、携帯端末装置１０の動作について説明する。携帯端末装置１０は、記憶部２４に記憶されている、通話中に文字情報の送受信処理を行うアプリケーションのプログラムを主制御部２２でユーザの操作に基づいて処理することにより、通話中に文字情報を送受信する。
【００３５】
具体的には、送信側の携帯端末装置１０は、主制御部２２により通話中に文字情報の送受信処理を行うアプリケーションのプログラム、具体的にはプッシュ音送信アプリを実行し、ユーザにより入力された、または指定された文字情報を、変換テーブルを用いてプッシュ信号（プッシュ音）に変換（暗号化）し、変換したプッシュ信号を通信相手先の携帯端末装置１０に音声として出力する。また、通信相手先（受信側）の携帯端末装置１０は、主制御部２２により通話中に文字情報の送受信処理を行うアプリケーションのプログラム、具体的には、プッシュ音受信アプリを実行し、受信したプッシュ信号を、変換テーブルを用いて文字情報に変換する。なお、送信側の携帯端末装置１０で、文字情報をプッシュ信号に変換する変換テーブルと、受信側の携帯端末装置１０でプッシュ信号を文字情報に変換する変換テーブルとは同じ変換テーブルである。
【００３６】
以下、図４−１から図４−３を用いて変換テーブルについて説明する。ここで、図４−１から図４−３は、それぞれ操作キーの入力と表示部への表示とプッシュ信号との関係の一例を示す表である。ここで、図４−１は、数字モードの変換テーブルであり、図４−２は、アルファベットモードの変換テーブルであり、図４−３は、文字モード（ひらがなモード）の変換テーブルである。
【００３７】
ここで、図４−１から図４−３の表に示す「ユーザが押したキー」とは、ユーザによって押下された操作キー１３の種類である。
【００３８】
次に、図４−１から図４−３の表に示す「表示」とは、入力に基づいて表示部３２に表示される文字である。なお、表示部３２に表示される文字は、主制御部２２がユーザにより入力した文字（送信する文字）として認識する文字である。
【００３９】
また、図４−１から図４−３の表に示す「プッシュ信号」とは、表示されている文字を変換した場合に出力される音声信号である。ここで、プッシュ信号は、ＤＴＭＦ（Dual-Tone  Multi-Frequency）信号である。プッシュ信号には、１、２、３、４、５、６、７、８、９、０、＃、＊、Ａ、Ｂ、Ｃ、Ｄのそれぞれに固有の周波数帯域（低群と高群の２つの周波数帯域）の音声が対応付けられている。
【００４０】
ここで、ユーザが押したキーと表示される文字との関係は、携帯電話機によるテキスト入力と同様の対応関係となっている。具体的には、設定やユーザの操作に基づいて、文字の入力時に入力モードを、数字モードか、アルファベットモードか、ひらがなモード（かなモード）かに決定し、その決定に基づいて、表示させる文字を選択する。つまり、操作キー１３の「２」が１回押下された場合でも、選択されたモードによって、表示させる文字を「２」とするか、「Ａ」とするか「か」とするかを切り替える。
【００４１】
また、図４−１から図４−３に示す表では、それぞれのモードについて一部の文字のみの対応関係を表示させているが、記憶部に記憶されている変換テーブルには、主制御部２２が表示部３２に文字として表示させる各文字に対して対応付けて記憶されている。また、同一のキーを連続して押下した場合も、その押下回数によって異なる文字が対応付けられている。具体的には、変換テーブルには、アルファベットモードの操作キー１３の「２」の２回押下には、表示させる文字としては「Ｂ」が対応付けられている。また、ひらがなモードの操作キー１３の「２」の２回押下には、表示させる文字としては「き」が対応付けられている。つまり、操作キー１３の１、２、３、４、５、６、７、８、９、０、＃、＊のキーには、それぞれ、モードと押下回数に応じて、文字が対応付けられている。
【００４２】
次に、表示された文字とプッシュ信号のパターンとは、１対１で対応付けられている。具体的には、表示文字「２」には、プッシュ信号「２」が対応付けられ、表示文字「Ａ」には、「＃２」が対応付けられ、表示文字「か」には、「＃＃２」が対応付けられている。このように、１つのプッシュ信号のパターンには、１つの表示文字が対応付けられている。図４−１から図４−２に示すように、プッシュ信号のパターンは、少なくとも１つ以上のプッシュ信号で構成されている。また、本実施形態では、数字モードには、入力時にユーザが押下するキーがそのままプッシュ信号として対応付けられ、アルファベットモードには、入力時にユーザが押下するキーの前に「＃」を付加したプッシュ信号が対応付けられ、ひらがなモードには、入力時にユーザが押下するキーの前に「＃＃」を付加したプッシュ信号が対応付けられている。記憶部には、以上のような関係を記憶して変換テーブルが記憶されている。
【００４３】
次に、図５及び図６を用いて、文字の入力操作について説明する。ここで、図５及び図６は、それぞれ携帯端末装置の動作を説明するための説明図である。より具体的には、図５及び図６は、通話中に文字情報の入力行った場合の画面を示す例である。まず、他の端末と通話時、表示部３２の画面には、図５の左側の図に示す通話画面が表示される。具体的には、通話中であることを示す文字と、通話時間が表示される。この状態から、操作キー１３、本実施形態では、「０」が押下されると、表示部３２の画面は、図５の右側の図に示す文字入力画面に遷移する。ここで、本実施形態では、ユーザによる操作キー１３の操作（押下）をひらがなモードと数字モードの両方で認識し、画面の上段に操作キー１３の操作をひらがなモードとして認識した場合に表示する文字を表示させ、画面の下段に操作キー１３の操作を数字モードとして認識した場合に表示する文字を表示させる。具体的には、主制御部２２は、表示部３２の画面の上段に「わ」を表示させ、画面の下段に「０」を表示させる。
【００４４】
その後、さらに、操作キー１３が押下されると、表示部３２の画面に操作キー１３の押下に対応した文字が表示される。なお、本実施形態では、ユーザが操作キー１３を「０」以降、「４５６６６６＊」と押下する場合である。主制御部２２は、このように操作キー１３が押下されたことを検出したら、図６に示すように、表示部３２の画面の上段に「わたなべ」を表示させ、画面の下段に「０４５６６６６＊」を表示させる。あらかじめ送信する入力モードが選択されている場合は、ユーザによる操作キー１３の操作を選択された入力モード（例：ひらがなモード、数字モード）で認識し、認識された入力モードに対応する文字や数字を表示させても良い。
【００４５】
主制御部２２は、操作キー１３が押下された後、ユーザにより文字情報の確定操作が入力されると、確定された入力結果を文字情報として送信する。また、図５及び図６で示すように表示部３２に数字及び文字が表示されている場合に、ユーザにより入力された数字モードの入力結果と、ひらがなモードの入力結果のいずれかを選択する指示が入力されたら、選択された入力結果を文字情報として確定して送信する。携帯端末装置１０は、以上のようにして通話中に入力された文字情報を検出する。
【００４６】
次に、図７及び図８を用いて、携帯端末装置の処理動作、具体的には、文字情報の送信動作と、受信動作について説明する。ここで、図７及び図８は、携帯端末装置の処理動作の一例を示すフロー図である。また、図７は、携帯端末装置による文字情報の送信動作を示すフロー図であり、図８は、携帯端末装置による文字情報の受信動作を示すフロー図である。なお、図７の処理を行う携帯端末装置と、図８に示す携帯端末装置は、通信網６を介した音声通信により通信を行っている端末装置である。
【００４７】
以下、図７を用いて、送信側の携帯端末装置による文字情報の送信動作を説明する。携帯端末装置１０の主制御部２２は、音声通話中に、プッシュ音送信アプリの起動指示を検出したら、ステップＳ１２として、プッシュ音送信アプリを起動させる。ここで、アプリの起動指示とは、ユーザによる文字情報が割り当てられた操作キー１３の一定回数以上押下や、所定のアプリ立ち上げ操作の入力である。
【００４８】
主制御部２２は、ステップＳ１２でアプリを起動させたら、ステップＳ１４として送信する文字情報を検出する。つまり、音声信号で送信する対象となる文字情報を検出する。なお、本実施例は、文字情報として、上述した図５及び図６に示すように通話中にユーザが操作キー１３を押下することで入力された文字情報を用いる。つまり、主制御部２２は、通話中にユーザにより入力され確定された文字情報を送信する文字情報として検出する。主制御部２２は、ステップＳ１４で文字情報を検出したら、ステップＳ１５として、プッシュ音変換処理を行う。具体的には、上述した図４−１から図４−３に示す対応関係を用いて、ステップＳ１４で検出した送信する文字情報（表示文字）を対応するプッシュ音に変換する。
【００４９】
主制御部２２は、ステップＳ１５で文字情報をプッシュ音に変換したら、ステップＳ１６として、送信指示があるかを判定する。なお、主制御部２２は、予め設定された条件であれば種々の条件を送信指示として判定することができる。例えば、ユーザの操作により入力される指示を送信指示としたり、予め設定された条件（ステップＳ１２から一定時間経過、文字情報の文字数が設定された文字数に達する等）を満たしたことを送信指示としたりすることができる。主制御部２２は、ステップＳ１６で送信指示なし（Ｎｏ）と判定したら、ステップＳ３０に進む。
【００５０】
主制御部２２は、ステップＳ１６で送信指示有り（Ｙｅｓ）と判定したら、ステップＳ１８として、キー押下によるプッシュ音発信無効処理を行う。つまり、主制御部２２は、操作キー１３が押下されてもプッシュ音を発生させない設定とする。これにより、ユーザによって操作キー１３が押下されても対応するキーのプッシュ音が発生しないようにすることができる。
【００５１】
その後、主制御部２２は、ステップＳ２０として、プッシュ音を発信（送信）する。つまり、主制御部２２は、ステップＳ１５で変換して作成したプッシュ音を音声として出力し、使用中の音声通信回線を用いて、通話相手の携帯端末装置１０に送る。なお、プッシュ音の出力方法は特に限定されない。例えば、音声処理部３０によりプッシュ音に対応する音声信号を作成し、作成した音声信号をマイク１５で検出した音声信号と同様に通信部２６を介して通話相手の携帯端末装置１０に送ってもよい。
【００５２】
主制御部２２は、ステップＳ２０でプッシュ音を発信したら、ステップＳ２２として、受信側からプッシュ音を受信したかを判定する。ここで、本実施形態では、正確な文字情報を送信するために、受信側の携帯端末装置１０は、受信したプッシュ音をそのまま送信側の携帯端末装置１０に送る。主制御部２２は、この受信側から送られたプッシュ信号を受信したかを判定する。
【００５３】
主制御部２２は、ステップＳ２２でプッシュ音を受信していない（Ｎｏ）と判定したら、ステップＳ２２に進む。つまり、主制御部２２は、受信側から送られたプッシュ信号を受信するまでステップＳ２２の処理を繰り返す。なお、ステップＳ２２の処理の繰り返し処理に対してタイムアウトを設定してもよい。
【００５４】
また、主制御部２２は、ステップＳ２２でプッシュ音を受信した（Ｙｅｓ）と判定したら、ステップＳ２４として、プッシュ音は一致したかを判定する。つまり、ステップＳ２０で発信したプッシュ音と、ステップＳ２２で受信したプッシュ音とを比較し、両者のプッシュ音が一致するかを判定する。
【００５５】
主制御部２２は、ステップＳ２４でプッシュ音が一致する（Ｙｅｓ）と判定したら、ステップＳ２６として、一致を示すプッシュ音を送信（発信）する。その後、主制御部２２は、ステップＳ３０に進む。また、主制御部２２は、ステップＳ２４でプッシュ音が一致しない（Ｎｏ）つまり、不一致であると判定したら、ステップＳ２８として、不一致を示すプッシュ音を送信（発信）する。その後、主制御部２２は、ステップＳ３０に進む。ここで、一致を示すプッシュ音、不一致を示すプッシュ音は、予め設定されているプッシュ音（またはプッシュ音のパターン）である。
【００５６】
主制御部２２は、ステップＳ１６で送信指示なし（Ｎｏ）と判定したら、または、ステップＳ２６、ステップＳ２８でプッシュ信号を送信したら、ステップＳ３０として、キー押下によるプッシュ音発信有効処理を行う。つまり、主制御部２２は、操作キー１３が押下されたらプッシュ音を発生させる設定とする。これにより、ユーザによって操作キー１３が押下されたら対応するキーのプッシュ音を発生させるようにすることができる。
【００５７】
主制御部２２は、ステップＳ３０の処理を行ったら、ステップＳ３２として、プッシュ音送信アプリを終了して、処理を終了する。
【００５８】
次に、図８を用いて、図７に対応する受信側の携帯端末装置による文字情報の受信動作を説明する。携帯端末装置１０の主制御部２２は、音声通話中にプッシュ音受信アプリの起動指示を検出したら、ステップＳ４０として、プッシュ音受信アプリをＯＮ（起動）させる。ここで、アプリの起動指示とは、例えば、予め設定されたアプリ立ち上げ操作の入力である。なお、送信側の携帯端末装置から所定の音声信号が入力されたらアプリを立ち上げるようにしてもよい。
【００５９】
主制御部２２は、ステップＳ４０でアプリを起動させたら、ステップＳ４２として、キー押下によるプッシュ音発信無効処理を行う。つまり、主制御部２２は、操作キー１３が押下されてもプッシュ音を発生させない設定とする。
【００６０】
その後、主制御部２２は、ステップＳ４４として、送信側からプッシュ音を受信したかを判定する。つまり、主制御部２２は、送信側の携帯端末装置から送信されたプッシュ音を受信したかを判定する。
【００６１】
主制御部２２は、ステップＳ４４で、プッシュ音を受信していない（Ｎｏ）と判定したら、ステップＳ４４に進む。つまり、主制御部２２は、送信側から送られたプッシュ信号を受信するまでステップＳ４４の処理を繰り返す。なお、ステップＳ４４の処理の繰り返し処理に対しては、タイムアウトを設定してもよい。
【００６２】
主制御部２２は、ステップＳ４４でプッシュ音を受信した（Ｙｅｓ）と判定したら、ステップＳ４６として、受信プッシュ機能がＯＮになっているかを判定する。つまり、主制御部２２は、プッシュ音受信アプリが起動されているかを判定する。主制御部２２は、ステップＳ４６で受信プッシュ機能ＯＮではない（Ｎｏ）、つまり、ＯＦＦであると判定したら処理を終了する。
【００６３】
また、主制御部２２は、ステップＳ４６で受信プッシュ機能ＯＮである（Ｙｅｓ）と判定したら、ステップＳ４８として、送られてきたプッシュ音を一時的に記憶する。つまり、主制御部２２は、ステップＳ４４で受信したプッシュ音を一時的に記憶する。なお、記憶させる領域は、特に限定されないが、記憶部２４や、主制御部２２の一時記憶領域に記憶させればよい。
【００６４】
その後、主制御部２２は、ステップＳ５０として、送られてきたプッシュ音を送信側に送信する。つまり、主制御部２２は、ステップＳ４４で受信したプッシュ音を音声信号として送信側の携帯端末装置１０に送る。
【００６５】
その後、主制御部２２は、ステップＳ５２として、送信側からプッシュ音を受信したかを判定する。つまり、主制御部２２は、送信側の携帯端末装置から送信されたプッシュ音を受信したかを判定する。
【００６６】
主制御部２２は、ステップＳ５２で、プッシュ音を受信していない（Ｎｏ）と判定したら、ステップＳ５２に進む。つまり、主制御部２２は、送信側から送られたプッシュ信号を受信するまでステップＳ５２の処理を繰り返す。なお、ステップＳ５２の処理の繰り返し処理に対しては、タイムアウトを設定してもよい。
【００６７】
主制御部２２は、ステップＳ５２でプッシュ音を受信した（Ｙｅｓ）と判定したら、ステップＳ５４として、一致を示すプッシュ音かを判定する。つまり、主制御部２２は、ステップＳ５２で受信したプッシュ音が一致を示すプッシュ音であるかを判定する。
【００６８】
主制御部２２は、ステップＳ５４で一致を示すプッシュ音である（Ｙｅｓ）と判定したら、ステップＳ５６として、ステップＳ４８で一時的に記憶していたプッシュ音を文字記号（文字情報）に変換し、ステップＳ５８として、変換したデータを保存する。つまり、主制御部２２は、ステップＳ５６として、ステップＳ４４で受信したプッシュ信号を上述した図４−１から図４−３に示す変換テーブルに基づいて、文字情報に変換し、ステップＳ５８で、変換して作成した文字情報を保存する。なお、主制御部２２は、ステップＳ５８でデータを保存するとともに文字情報を表示部３２に表示させてもよい。主制御部２２は、ステップＳ５８の処理を行ったらステップＳ６２に進む。
【００６９】
また、主制御部２２は、ステップＳ５４で一致を示すプッシュ音ではない（Ｎｏ）、つまり、ステップＳ５２で受信したプッシュ音が不一致を示すプッシュ音であると判定したら、ステップＳ６０として、一時的に記憶していたプッシュ音を破棄する。つまり、主制御部２２は、ステップＳ４８で記憶したプッシュ音のデータを破棄する。主制御部２２は、ステップＳ６０の処理を行ったらステップＳ６２に進む。
【００７０】
主制御部２２は、ステップＳ５８またはステップＳ６０の処理を終了したら、ステップＳ６２として、キー押下によるプッシュ音発信有効処理を行う。つまり、主制御部２２は、操作キー１３が押下されたらプッシュ音を発生させる設定とする。これにより、ユーザによって操作キー１３が押下されたら対応するキーのプッシュ音を発生させるようにすることができる。
【００７１】
主制御部２２は、ステップＳ６２の処理を行ったら、ステップＳ６４として、プッシュ音受信アプリを終了して、処理を終了する。
【００７２】
このように、携帯端末装置１０は、音声通信、具体的にはプッシュ信号を用いて、文字情報を送受信することができる。これにより、音声通信中、つまり通話中に通話状態を維持したまま文字情報を送受信することができる。これにより、一旦通話を終了してメール等で送信するという手間を省くことができる。また、第三者に知られたくない情報を声に出すことなく、相手に伝達することができる。さらに、文字情報として送受信できるため、聞き取り間違えの発生を抑制することができ、正確に情報を認識することができる。また、メールアドレス等、口頭で伝達するのに時間がかかる、また説明に手間のかかる情報も簡単に伝達することができる。また、相手のメールアドレスを知らない場合でも、通話さえしていれば、利用可能である。また、メールに対応していない端末に対しても情報を送ることができる。
【００７３】
また、変換テーブル（設定されている対応関係）を用いて、種々の入力モード（文字種類）とプッシュ信号（プッシュ信号のパターン）を対応付けておくことで、数字のみならず、アルファベット、ひらがなも文字情報として送受信させることができる。これにより、より多くの情報を送ることができる。また、上記実施形態では、文字情報として、数字、アルファベット、ひらがなを用いたが、これには限定されない。例えば、カタカナ、ハングル語、漢字等、種々の文字に対して用いることができる。
【００７４】
また、文字情報を入力する操作部２８、つまり、本実施形態の操作キー１３としては、１つのキーに複数の種類の記号（例：第１種記号、第２種記号）が対応付けられていることが好ましい。操作キーとしては、プッシュ信号の種類以下のキーの数とし、夫々のキーに１つのプッシュ信号を対応付けることが好ましい。これにより、キーの押下と、プッシュ信号とを対応付けやすくすることができる。また、キー押下の回数と、文字情報の種類の識別情報とを組み合わせることで、プッシュ信号のパターンを決めることができる。
【００７５】
また、本実施形態のようにプッシュ信号（ＤＴＭＦ信号）を用いることで、音声情報で効率よく情報を伝達することができる。なお、プッシュ信号を用いることが好ましいが、音声信号（音声のアナログ信号）で所定の信号情報を送信する他の音声信号パターン、例えばモールス信号も用いることができる。なお、いずれの場合であっても、変換テーブルを予め設定し記憶しておく必要がある。
【００７６】
また、上記実施形態のように、受信したプッシュ信号を、送信側に送り返すことで、プッシュ信号が一致しているかを確認することができる。これにより、送信する文字情報をより正確に、つまり高い精度で伝達することができる。なお、プッシュ信号が不一致の場合は、再び送信するようにしてもよい。
【００７７】
また、携帯端末装置１０は、上記実施形態のように、文字入力時は、あらかじめ決定された入力モードに対応して入力された文字を表示部に表示させることが好ましい。これにより、ユーザが入力した情報を確認しつつ、入力操作を行うことができる。また、入力モードが決定されていない場合は、入力された操作に対応する文字を夫々の入力モードに対応させて表示させることが好ましい。これにより、複数のモードで入力された結果を一度に認識することができる。
【００７８】
なお、上記実施形態の主制御部２２は、ステップＳ１４で、送信する文字情報として通話時にユーザにより入力された文字情報を用いたが、本発明はこれに限定されず、予め設定された文字情報を送信する文字情報として検出するようにしてもよい。例えば、主制御部２２は、ステップＳ１４でユーザによる複数の文字情報を表示させた文字情報選択画面を表示部３２に表示させ、ユーザにより複数の文字情報の中から文字情報を決定する指示が入力されたら、決定された文字情報を送信する文字情報として検出してもよい。なお、予め設定された文字情報とは、記憶部２４に記憶されている種々の文字情報を用いることができ、例えば、アドレス帳に記憶されている文字情報（氏名、電話番号、メールアドレス）や、テキストとして記憶されている文字情報、お気に入りとして記憶されているホームページのＵＲＬ等がある。
【００７９】
また、上記実施形態では、携帯端末装置同士で音声通信を行うようにしたが、本発明はこれに限定されない。通信機器としては、上述したように種々の装置を用いることができ、例えば一方を固定の通信機器（電話機）とし、他方を携帯端末装置としてもよい。また、両方を固定の通信機器としてもよい。
【００８０】
また、本発明の通信機器は、送受信の両方の動作を行えるため、通話中に文字情報の送受信処理を行うアプリケーションのプログラムとして、プッシュ音送信アプリとプッシュ音受信アプリの両方を備えていることが好ましいが、いずれか一方のみを備えている構成としてもよい。また、通話中に文字情報の送受信処理を行うアプリケーションのプログラムは、１つのアプリケーションのプログラムで、プッシュ音送信アプリとプッシュ音受信アプリの両方を実行可能としてもよいが、プッシュ音送信アプリとプッシュ音受信アプリとで、別々のアプリケーションのプログラムを用いるようにしてもよい。なお、音声通信を行う通信機器は、互いに同一の変換テーブルを備えている必要がある。
【産業上の利用可能性】
【００８１】
以上のように、本発明にかかる通信機器は、音声通信機能と文字表示機能を備える通信機器に用いることに有用である。
【符号の説明】
【００８２】
１  通信システム
６  通信網
８  基地局
１０  携帯端末装置
１０Ｃ  筐体
１０ＣＡ  第１筐体
１０ＣＢ  第２筐体
１２Ｍ  メインディスプレイ
１３  操作キー
１４  方向及び決定キー
１５  マイク
１６  レシーバ
２２  主制御部
２４  記憶部
２６  通信部
２８  操作部
３０  音声処理部
３２  表示部
３３  表示制御部
【図１】
2011147030.tif 000003
【図２】
2011147030.tif 000004
【図３】
2011147030.tif 000005
【図４−１】
2011147030.tif 000006
【図４−２】
2011147030.tif 000007
【図４−３】
2011147030.tif 000008
【図５】
2011147030.tif 000009
【図６】
2011147030.tif 000010
【図７】
2011147030.tif 000011
【図８】
2011147030.tif 000012